(57)【要約】【課題】物品に予め埋め込む吊上用インサートが不要で、吊り上げに際して吊治具を物品に係合し、又は取り外す作業も簡単な吊治具を得る。【解決手段】上部に吊ワイヤーなどを通す開口が形成された円環部を有し、中間部に軸受孔が形成された軸受部を有し、開口と軸受孔の向きが直角である２本の棒状部材を、開口が対向するように、軸受部において所定間隔を隔てて配置し、この２本の棒状部材の軸受孔に軸を挿通して一体化し、２本の棒状部材を軸に対して回動自在にすることで、前記課題を解決する。【選択図】      図１
2009274780.tif 000002
【特許請求の範囲】
【請求項１】
上部に吊ワイヤーなどを通す開口が形成された円環部を有し、中間部に軸受孔が形成された軸受部を有し、前記開口と前記軸受孔の向きが直角である２本の棒状部材を、
前記開口が対向するように、前記軸受部において所定間隔を隔てて配置し、
前記２本の棒状部材の軸受孔に軸を挿通して一体化し、
前記２本の棒状部材が前記軸に対して回動自在になっていることを特徴とする吊治具。
【請求項２】
前記棒状部材の下部が、前記開口の向いている方向で外側方向に折り曲げられた折曲部となっている請求項１の吊治具。
【請求項３】
前記棒状部材の下端部が、前記開口の向いている方向で外側方向に鈎状に折り曲げられた鈎状部となっている請求項１又は２の吊治具。
【請求項４】
請求項１又は２の吊治具を、前記２本の棒状部材の開口に揚重機の吊ワイヤーなどを挿通して揚重機で吊り上げ可能としておき、下方の径が上方よりも拡がっている吊上孔を上面に有する物品の該吊上孔に、前記吊治具の２本の棒状部材の下部を挿入した後、前記２本の棒状部材の円環部の間隔を狭めた状態で前記吊治具を上昇させて物品を吊り上げることを特徴とする物品の吊り上げ方法。
【請求項５】
請求項３の吊治具を、前記２本の棒状部材の開口に揚重機の吊ワイヤーなどを挿通して揚重機で吊り上げ可能としておき、下方の径が上方よりも拡がっている段部が形成されている吊上孔を上面に有する物品の該吊上孔に、前記吊治具の２本の棒状部材の下部を挿入して前記鈎状部を前記段部に係合させ、前記２本の棒状部材の円環部の間隔を狭めた状態で前記吊治具を上昇させて物品を吊り上げることを特徴とする物品の吊り上げ方法。
【請求項６】
請求項１又は２の吊治具を、前記２本の棒状部材の開口に揚重機の吊ワイヤーなどを挿通して揚重機で吊り上げ可能としておき、下方の径が上方よりも拡がっている吊上孔を上面に有する舗装板ブロックの該吊上孔に、前記吊治具の２本の棒状部材の下部を挿入した後、前記２本の棒状部材の円環部の間隔を狭めた状態で前記吊治具を上昇させて舗装板ブロックを吊り上げ、該ブロックを所定位置に敷設するステップと、
前記吊上孔から前記吊治具を抜き取るステップと、
前記吊上孔から地中にアンカーを、その頭部を前記吊上孔内に露出させた状態で打ち込むステップと、
前記吊上孔内に充填硬化材を充填して硬化させるステップを有することを特徴とする舗装板ブロックの敷設方法。
【請求項７】
請求項３の吊治具を、前記２本の棒状部材の開口に揚重機の吊ワイヤーなどを挿通して揚重機で吊り上げ可能としておき、下方の径が上方よりも拡がっている段部が形成されている吊上孔を上面に有する舗装板ブロックの該吊上孔に、前記吊治具の２本の棒状部材の下部を挿入して前記鈎状部を前記段部に係合させ、前記２本の棒状部材の円環部の間隔を狭めた状態で前記吊治具を上昇させて物品を吊り上げ、該ブロックを所定位置に敷設するステップと、
前記吊上孔から前記吊治具を抜き取るステップと、
前記吊上孔から地中にアンカーを、その頭部を前記吊上孔内に露出させた状態で打ち込むステップと、
前記吊上孔内に充填硬化材を充填して硬化させるステップを有することを特徴とする舗装板ブロックの敷設方法。
【発明の詳細な説明】
【技術分野】
【０００１】
本発明は、コンクリートブロックをはじめとする種々の物品をクレーンなどの揚重機で吊り上げるための吊治具、及びこの吊治具を使用した物品の吊上方法、並びにこの吊治具を使用した舗装板ブロックの敷設方法に関する。
【背景技術】
【０００２】
コンクリートブロックなどの物品を吊り上げるための吊治具として一般的なものは、下記特許文献１に示すように、ブロックに吊上用インサートを埋設しておき、吊治具の下部の係合部分をインサートに係合し、吊り上げるものである。吊治具とインサートとの係合は、下記特許文献２に示されるように、螺子によるのが一般的である。
【特許文献１】特開２００７−９８８７８号公報
【特許文献２】特開２００２−１７９３８１号公報
【発明の開示】
【発明が解決しようとする課題】
【０００３】
前記従来の吊治具は、ブロックなどの物品中に予め吊上用インサートを埋め込んでおかなければならないので、このための手間と費用を必要としていた。また、吊り上げに際して、吊治具の下部の係合部分をインサートに係合するために、吊治具を多数回回転させてねじ込むなどの作業が必要であり、吊治具を取り外すときも同様の作業が必要で、作業が煩雑となっていた。
本発明は、物品に予め埋め込む吊上用インサートが不要で、吊り上げに際して吊治具を物品に係合し、又は取り外す作業も簡単な吊治具を開発することを課題とするものである。
【課題を解決するための手段】
【０００４】
〔請求項１〕
本発明は、上部に吊ワイヤーなどを通す開口が形成された円環部を有し、中間部に軸受孔が形成された軸受部を有し、前記開口と前記軸受孔の向きが直角である２本の棒状部材を、前記開口が対向するように、前記軸受部において所定間隔を隔てて配置し、前記２本の棒状部材の軸受孔に軸を挿通して一体化し、前記２本の棒状部材が前記軸に対して回動自在になっていることを特徴とする吊治具である。
【０００５】
吊り上げに際して、吊ワイヤーなどに吊り上げる物品の重量が作用すると、図７、８に示すように、円環部１２、２２の間隔が狭まる方向の力（矢印ａ）が作用し、同時に棒状部材の下部の間隔が拡がる方向の力（矢印ｂ）が作用するので、吊治具と物品の吊上孔とが強く係合し、安全に吊り上げることができる。図６に示すように、吊ワイヤーなどに吊り上げる物品の重量が作用しないときは、円環部１２、２２の間隔が広がり（又は容易に広げることができ）、棒状部材の下部の間隔が狭まるので、吊治具を吊上孔から容易に抜き取ることができる。
本発明において、開口には吊ワイヤーを直接通してもよいし、吊ワイヤーに装着したフックやシャックルなどの吊上用金具を通してもよい。
本発明における「所定間隔」とは、前記軸の外径と同じか、それよりもやや広い間隔で、吊り上げに際して棒状部材上部の円環部の間隔が狭まったときに、棒状部材の下部の間隔が開いて吊上孔に密着するように、適宜に設定すればよい。
【０００６】
〔請求項２〕
また本発明は、前記棒状部材の下部が、前記開口の向いている方向で外側方向に折り曲げられた折曲部となっている請求項１の吊治具である。
【０００７】
折曲部を設けることで、吊り上げに際して、棒状部材の下部の間隔が開いたときに、棒状部材下部をテーパ状の吊上孔に完全に密着させることができ（特に吊上孔の径が小さいとき）、吊治具と物品の吊上孔とを非常に強く係合することができる。
【０００８】
〔請求項３〕
また本発明は、前記棒状部材の下端部が、前記開口の向いている方向で外側方向に鈎状に折り曲げられた鈎状部となっている請求項１又は２の吊治具である。
【０００９】
吊り上げる物品の吊上孔に、鈎状部に対応する段部を設けることで、吊り上げに際して吊治具の鈎状部と吊上孔の段部とが係合し、きわめて安全に物品を吊り上げることができる。
【００１０】
〔請求項４〕
また本発明は、請求項１又は２の吊治具を、前記２本の棒状部材の開口に揚重機の吊ワイヤーなどを挿通して揚重機で吊り上げ可能としておき、下方の径が上方よりも拡がっている吊上孔を上面に有する物品の該吊上孔に、前記吊治具の２本の棒状部材の下部を挿入した後、前記２本の棒状部材の円環部の間隔を狭めた状態で前記吊治具を上昇させて物品を吊り上げることを特徴とする物品の吊り上げ方法である。
【００１１】
物品の吊上孔の径が、下方が上方よりも拡がっているので、吊り上げに際して棒状部材の下部が拡がって吊上孔に接触したときに、棒状部材が物品の重量を支え、支持することができる。
【００１２】
〔請求項５〕
また本発明は、請求項３の吊治具を、前記２本の棒状部材の開口に揚重機の吊ワイヤーなどを挿通して揚重機で吊り上げ可能としておき、下方の径が上方よりも拡がっている段部が形成されている吊上孔を上面に有する物品の該吊上孔に、前記吊治具の２本の棒状部材の下部を挿入して前記鈎状部を前記段部に係合させ、前記２本の棒状部材の円環部の間隔を狭めた状態で前記吊治具を上昇させて物品を吊り上げることを特徴とする物品の吊り上げ方法である。
【００１３】
棒状部材の下端部に鈎状部を設け、吊り上げる物品の吊上孔に鈎状部に対応する段部を設けることで、吊り上げに際して吊治具の鈎状部と吊上孔の段部とが係合し、きわめて安全に物品を吊り上げることができる。
【００１４】
〔請求項６〕
また本発明は、請求項１又は２の吊治具を、前記２本の棒状部材の開口に揚重機の吊ワイヤーなどを挿通して揚重機で吊り上げ可能としておき、下方の径が上方よりも拡がっている吊上孔を上面に有する舗装板ブロックの該吊上孔に、前記吊治具の２本の棒状部材の下部を挿入した後、前記２本の棒状部材の円環部の間隔を狭めた状態で前記吊治具を上昇させて舗装板ブロックを吊り上げ、該ブロックを所定位置に敷設するステップと、
前記吊上孔から前記吊治具を抜き取るステップと、
前記吊上孔から地中にアンカーを、その頭部を前記吊上孔内に露出させた状態で打ち込むステップと、
前記吊上孔内に充填硬化材を充填して硬化させるステップを有することを特徴とする舗装板ブロックの敷設方法である。
【００１５】
〔請求項７〕
また本発明は、請求項３の吊治具を、前記２本の棒状部材の開口に揚重機の吊ワイヤーなどを挿通して揚重機で吊り上げ可能としておき、下方の径が上方よりも拡がっている段部が形成されている吊上孔を上面に有する舗装板ブロックの該吊上孔に、前記吊治具の２本の棒状部材の下部を挿入して前記鈎状部を前記段部に係合させ、前記２本の棒状部材の円環部の間隔を狭めた状態で前記吊治具を上昇させて物品を吊り上げ、該ブロックを所定位置に敷設するステップと、
前記吊上孔から前記吊治具を抜き取るステップと、
前記吊上孔から地中にアンカーを、その頭部を前記吊上孔内に露出させた状態で打ち込むステップと、
前記吊上孔内に充填硬化材を充填して硬化させるステップを有することを特徴とする舗装板ブロックの敷設方法である。
【００１６】
従来舗装板ブロックを敷設する場合、ブロックの上面に吊上用インサートを埋め込み、さらにブロックをアンカーで地面に固定するための貫通孔を形成し、インサートを利用してブロックを所定の敷設個所に吊上移動した後、貫通孔から地中にアンカーを打ち込み、貫通孔内にモルタルなどの充填硬化材を充填し硬化させ、固定する必要があった。
本発明の場合、ブロックの吊上孔をアンカー固定用の孔としても使用できる。
【発明の効果】
【００１７】
本発明の吊治具及び物品の吊り上げ方法は、物品に予め吊上用インサートを埋め込んでおく必要がないので、インサートを埋め込むための手間と費用が不要となる。
また、吊治具を物品に係合する作業及び物品から取り外す作業がきわめて簡単であるので、物品を吊り上げて移動する作業が容易となる。
本発明の舗装板ブロックの敷設方法は、吊上孔が吊治具とブロックを係合する役割と、ブロックをアンカーで地面に固定する役割を兼ねるので、ブロックにインサートを埋め込むための手間と費用が不要となり、きわめて合理的である。さらに、吊治具をブロックに係合する作業及びブロックから取り外す作業がきわめて簡単であるので、物品を吊り上げて敷設する作業が容易となる。
【実施例】
【００１８】
図１〜３に示す実施例の吊治具Ａは、２本の棒状部材１、２を有する。棒状部材１、２は断面が四辺形（円形などでもよい）の金属棒で、それぞれ上部に開口１３、２３が形成された円環部１２、２２を有し、中間部に軸受孔１６、２６が形成された軸受部１５、２５を有し、下部が折り曲げ部１４、２４となっている。
円環部１２、２２は棒状部材の上部を円環状に曲げて形成され、軸受部１５、２５はＵ字形の金属部材を溶接固定して形成され、開口１３、２３と軸受孔１６、２６の向きは、それぞれ直角となっている。
棒状部材１、２は、軸受部１５、２５において所定間隔（ボルト３０の軸径よりやや大きい間隔）を隔てて対向して配置され（図２）、それぞれの軸受孔１６、２６に軸であるボルト３０を挿通し、ナット３１で締め付け一体化している（図１）。符号３２はワッシャーである。棒状部材１、２は、ボルト３０を軸として回動自在となっているので、棒状部材１、２は、その上端部又は下端部が相互に接触するまでの範囲で回動自在である（図２）。
【００１９】
棒状部材１、２の折曲部１４、２４は、開口１３、２３の向いている方向（矢印Ｘ方向）で、かつ吊治具Ａの外側方向に折り曲げられている。折り曲げ角度は、図７に示す物品を吊り上げた状態において、吊上孔４３に密着する角度（約１０°）となっている。
なお、折曲部は必ずしも必要ではなく、吊上孔の径が大きく、棒状部材１、２の軸受部における間隔を広くした場合は、折曲部を設けなくとも棒状部材の下部を吊上孔に密着できる。
【００２０】
次に、吊治具Ａを用いた物品の吊り上げ方法を、舗装板ブロックを敷設する場合を例にして説明する。
舗装板４は、図１１に示すように、３枚の鉄筋コンクリート製の舗装板ブロック４１、４２、４２からなる。各舗装板ブロックの大きさは４５ｃｍ×１２８ｃｍ、厚さは５ｃｍで、舗装板ブロック４１は、一端に鉄板を埋め込んだ乗上部４１ａが設けられている点で舗装板ブロック４２と異なる。各舗装板ブロックには４個所の吊上孔４３が形成されている。吊上孔は上部の直径が３ｃｍ、下部の直径が５ｃｍで、下方の径が上方よりも拡がるテーパ状となっている。
【００２１】
この舗装板は、図１２に例示するように既存の駐車場の緑化に使用されるものである。この駐車場は、全面がアスファルト舗装となっていたものを、中央の通路４９にアスファルト舗装を残し、両側の駐車スペースに厚さ５ｃｍの植生ブロック４６をアスファルト舗装の上に敷き詰めるが、自動車のタイヤが走行する部分のみ、アスファルト舗装の上に舗装板ブロック４を敷設する。植生ブロック４６には、例えばイワダレソウのような背の低い植物が繁茂する。
【００２２】
舗装板を敷設するにあたり、まず、揚重機（例えばトラックに装備されている小型揚重機）の吊ワイヤーを吊治具Ａの開口１３、２３に挿通して、吊治具Ａを揚重機で吊り上げ可能にしておく。次にトラックの荷台に積まれている、又は地面に荷下ろしされている舗装板ブロック４１、４２を１枚ずつ吊り上げ、敷設場所に移動して吊り降ろす。吊り上げるときは、図６に示すように、吊治具Ａを吊上孔４３の上に吊り降ろすと、吊ワイヤー３３が緩んで棒状部材１、２の円環部１２、２２の間隔が広がり（又は手で広げ）、棒状部材１、２の下部（折曲部１４、２４）の間隔が狭まり、吊上孔の中に棒状部の下部を挿入することができる。次に、図７に示すように、棒状部材１、２の円環部１２、２２の間隔を狭めた状態で（折曲部１４、２４が吊上孔４３に密着する）吊治具Ａを上昇させると、吊ワイヤー３３にブロックの重さが作用し、棒状部材１、２の円環部１２、２２の間隔が狭まる方向の力（矢印ａ）が作用し、棒状部材の下部の間隔が広がる方向の力（矢印ｂ）が作用するので、吊治具Ａ下部とブロックの吊上孔４３とが強く係合し、安全に吊り上げることができる。
【００２３】
図９は、舗装板ブロック４２を吊り上げた状態である。この場合は、吊治具Ａを取り付けた吊ワイヤー２本を揚重機の吊フック３４に掛けて使用している。吊治具Ａは舗装板ブロック４２の対角の２つの吊上孔に係合させている。舗装板ブロックを吊り上げた状態で敷設する場所に移動し、吊り降ろすと、図６に示すように、吊ワイヤー３３にブロックの重量が作用しなくなるので、円環部１２、２２の間隔が広がり（又は容易に広げることができ）、棒状部材１、２の下部の間隔が狭まるので、吊治具Ａを吊上孔４３から容易に抜き取ることができる。
舗装板ブロック４１も、舗装板ブロック４２と全く同様に吊り上げ、敷設することができる。
【００２４】
舗装板ブロック４１、４２を所定位置に吊り降ろした後、図１０に示すように、４個所の吊上孔４３から地中（アスファルト４７、地盤４８）にアンカー４５を、その頭部を吊上孔４３内に露出させた状態で打ち込む。アンカーは鉄筋や鉄杭などである。次に、吊上孔４３内にモルタルなどの充填硬化材４４を充填して硬化させ、舗装板ブロックをアスファルト舗装の上に固定する。
【００２５】
図８は、棒状部材１’、２’の下端部に鈎状部１７、２７を設けた吊治具Ａ’の例である。吊治具Ａ’は、鈎状部を有する以外は前記の吊治具Ａと同じである。鈎状部１７、２７は、開口１３、２３の向いている方向（図２、３の矢印Ｘ方向）で、かつ吊治具Ａの外側方向に突出ように設けられている。この場合、吊り上げる物品（舗装板ブロック）に形成する吊上孔４３’は、下方の径が上方よりも拡がっている段部４３ａが形成されている。さらに段部４３から上方は下方の径が上方よりも拡がるテーパ状となっており、棒状部材１’、２’の下部が吊上孔４３’上部内面に密着している。
【００２６】
本発明の吊治具で吊り上げる物品は、舗装板ブロックに限らず、吊上孔を形成できる種々の物品（例えば、種々の建設資材、土木資材、包装材など）とすることができる。本実施例では、吊上孔を貫通孔としているが、舗装板部ブロック以外の物品の場合は吊上孔は必ずしも貫通孔である必要はない。
【図面の簡単な説明】
【００２７】
【図１】吊治具Ａの側面図である。
【図２】吊治具Ａの一部切欠正面図である。
【図３】吊治具Ａの平面図である。
【図４】棒状部材１、２の側面図である。
【図５】棒状部材１、２の正面図である。
【図６】吊治具Ａの使用状態の説明図である。
【図７】吊治具Ａの使用状態の説明図である。
【図８】吊治具Ａ’の使用状態の説明図である。
【図９】吊治具Ａ、Ａ’の使用状態の説明図である。
【図１０】舗装板ブロック４１、４２の固定状態の説明図である。
【図１１】舗装板４の平面図及び側面図である。
【図１２】駐車場の平面図である。
【符号の説明】
【００２８】
１  棒状部材
１１  棒状部
１２  円環部
１３  開口
１４  折曲部
１５  軸受部
１６  軸受孔
１７  鈎状部
２  棒状部材
２１  棒状部
２２  円環部
２３  開口
２４  折曲部
２５  軸受部
２６  軸受孔
２７  鈎状部
３０  ボルト
３１  ナット
３２  ワッシャー
３３  吊ワイヤー
３４  吊フック
４  舗装板
４１  舗装板ブロック
４２  舗装板ブロック
４３  吊上孔
４４  充填硬化材
４５  アンカー
４６  植生ブロック
４７  アスファルト
４８  地盤
４９  通路
【図１】
2009274780.tif 000003
【図２】
2009274780.tif 000004
【図３】
2009274780.tif 000005
【図４】
2009274780.tif 000006
【図５】
2009274780.tif 000007
【図６】
2009274780.tif 000008
【図７】
2009274780.tif 000009
【図８】
2009274780.tif 000010
【図９】
2009274780.tif 000011
【図１０】
2009274780.tif 000012
【図１１】
2009274780.tif 000013
【図１２】
2009274780.tif 000014